(57)【要約】【課題】上りと下りの光信号の間に生じる干渉（レイリー散乱）の影響を抑制して、良質な光信号の送受信を可能にする。【解決手段】光ファイバ１０４を介して、局Ｋからユーザ端末Ｕに向かって、連続光Ｐｃと下り光信号Ｐｄを送出する。このとき、連続光Ｐｃと下り光信号Ｐｄの偏光方向を異ならせておく。ユーザ端末Ｕの下り光信号受信器１０７は下り光信号Ｐｄを受信する。また下り光信号Ｐｄは光リミッタアンプ１１４により消光比が減少される。反射型光変調器１０６は、連続光Ｐｃを変調して正規上り光信号Ｐｕ１を生成し、消光比が減少した下り光信号Ｐｄを変調して予備上り光信号Ｐｕ２を生成する。２つの光信号Ｐｕ１，Ｐｕ２は局Ｋに送られ上り光信号受信器１０８にて受信される。上りの光信号Ｐｕ１，Ｐｕ２の一方が、仮に、下りの光Ｐｃ，Ｐｄの偏光方向に一致してレイリー散乱によりに波形が乱れても、上りの光信号Ｐｕ１，Ｐｕ２の他方は下りの光Ｐｃ，Ｐｄの偏光方向に一致することなく、良好な信号伝送ができる。【選択図】        図１
2005006138.tif 000002
【特許請求の範囲】
【請求項１】
局とユーザ端末とが光ファイバで接続され、
前記局は、連続光と下り光信号を時分割方式で前記ユーザ端末に送出すると共に、前記ユーザ端末から送出された上り光信号を受信し、
前記ユーザ端末は、前記局から送出された下り光信号を受信すると共に、受信した連続光を変調して生成してなる上り光信号を前記局に送り返す反射型光通信システムにおいて、
前記局では、偏光方向を異ならせて前記連続光と前記下り光信号を前記ユーザ端末に送出し、
前記ユーザ端末では、受信した連続光を第１の電気信号により変調して生成してなる正規上り光信号を前記局に送り返すのみならず、受信した下り光信号の消光比を減少させ消光比が減少した下り光信号を第２の電気信号により変調して生成してなる予備上り光信号を前記局に送り返すことを特徴とする反射型偏波利用光通信システム。
【請求項２】
請求項１において、
前記ユーザ端末で用いる第１の電気信号と第２の電気信号の信号内容が同一であり、
前記局は、受信した正規上り光信号と予備上り光信号の信号内容が一致した時に信号内容が正しいと判定することを特徴とする反射型偏波利用光通信システム。
【請求項３】
請求項１または請求項２のいずれか１項において、
前記局は、消光比が３〜５ｄＢとなっている下り光信号を送出することを特徴とする反射型偏波利用光通信システム。
【請求項４】
請求項１乃至請求項３のいずれか１項の反射型偏波利用光通信システムに用いる局であって、
この局は、連続光を送出する連続光源と、下り光信号を送出する下り光信号送信器と、上り光信号である正規上り光信号と予備上り光信号を受信する上り光信号受信器とを有しており、
しかも前記連続光源から送出する連続光と前記下り光信号送信器から送出する下り光信号の偏光方向を異ならせていることを特徴とする反射型偏波利用光通信システムの局。
【請求項５】
請求項１乃至請求項３のいずれか１項の反射型偏波利用光通信システムに用いる局であって、
この局は、連続光を送出する連続光源と、下り光信号を送出する下り光信号送信器と、上り光信号である正規上り光信号と予備上り光信号を受信する上り光信号受信器と、偏波コントローラとを有しており、
しかも前記連続光源から送出する連続光と前記下り光信号送信器から送出する下り光信号の偏光方向を異ならせており、
更に、前記偏波コントローラは、前記連続光源から送出された連続光と前記下り光信号送信器から送出された下り光信号との偏光方向を制御してから局外に送出することを特徴とする反射型偏波利用光通信システムの局。
【請求項６】
請求項５において、
上り光信号受信器で受信した正規上り光信号と予備上り光信号の信号内容が一致するまで、前記偏波コントローラにより連続光と下り光信号との偏光方向を制御することを特徴とする反射型偏波利用光通信システムの局。
【請求項７】
請求項１乃至請求項３のいずれか１項の反射型偏波利用光通信システムに用いる局であって、
この局は、下り光信号と連続光を時分割方式で送出する下り光信号送信器兼連続光源と、上り光信号である正規上り光信号と予備上り光信号を受信する上り光信号受信器と、偏波光スイッチとを有しており、
前記偏波光スイッチは、下り光信号送信器兼連続光源から送出された下り光信号と連続光の偏光方向を異ならせるように偏光方向を切り換えることを特徴とする反射型偏波利用光通信システムの局。
【請求項８】
請求項１乃至請求項３のいずれか１項の反射型偏波利用光通信システムに用いる局であって、
この局は、下り光信号と連続光を時分割方式で送出する下り光信号送信器兼連続光源と、上り光信号である正規上り光信号と予備上り光信号を受信する上り光信号受信器と、偏波光スイッチと、偏波コントローラとを有しており、
前記偏波光スイッチは、下り光信号送信器兼連続光源から送出された下り光信号と連続光の偏光方向を異ならせるように偏光方向を切り換え、
更に、前記偏波コントローラは、前記偏波光スイッチから送出された連続光と下り光信号との偏光方向を制御してから局外に送出することを特徴とする反射型偏波利用光通信システムの局。
【請求項９】
請求項８において、
上り光信号受信器で受信した正規上り光信号と予備上り光信号の信号内容が一致するまで、前記偏波コントローラにより連続光と下り光信号との偏光方向を制御することを特徴とする反射型偏波利用光通信システムの局。
【請求項１０】
請求項１乃至請求項３のいずれか１項の反射型偏波利用光通信システムに用いるユーザ端末であって、
このユーザ端末は、下り光信号を受信する下り光信号受信器と、受信した下り光信号の消光比を減少させる光リミッタアンプと、受信した連続光を第１の電気信号により変調して正規上り光信号を生成して前記局に送り返すと共に前記光リミッタアンプを通過したことにより消光比が減少した下り光信号を第２の電気信号により変調して予備上り光信号を生成して前記局に送り返す反射型光変調器とを有することを特徴とする反射型偏波利用光通信システムのユーザ端末。
【請求項１１】
請求項１乃至請求項３のいずれか１項の反射型偏波利用光通信システムに用いるユーザ端末であって、
このユーザ端末は、下り光信号を受信すると共に、受信した連続光を第１の電気信号により変調して正規上り光信号を生成して前記局に送り返すと共に受信した下り光信号を第２の電気信号により変調して予備上り光信号を生成して前記局に送り返す下り光信号受信器兼反射型光変調器を有することを特徴とする反射型偏波利用光通信システムのユーザ端末。
【請求項１２】
請求項１乃至請求項３のいずれか１項の反射型偏波利用光通信システムに用いるユーザ端末であって、
このユーザ端末は、下り光信号を受信すると共に、受信した下り光信号の消光比を減少させ、更に受信した連続光を第１の電気信号により変調して正規上り光信号を生成して前記局に送り返すと共に消光比を減少させた下り光信号を第２の電気信号により変調して予備上り光信号を生成して前記局に送り返す下り光信号受信器兼反射型光変調器兼光リミッタアンプを有することを特徴とする反射型偏波利用光通信システムのユーザ端末。
【発明の詳細な説明】
【０００１】
【発明の属する技術分野】
本発明は光ファイバを伝搬する高速光通信、光交換、光情報処理等の光伝送システムに適用され、特に１本の光ファイバを上り・下りの双方向で使用する反射型の光通信システムに適用して有効な技術である。
【０００２】
【従来の技術】
ＩＴ技術の発展に伴う伝送容量の増加に伴い、光ファイバの伝送帯域を有効に利用することが重要になっている。伝送帯域を有効に利用するシステムとして、反射型光通信システムがある。
【０００３】
本願発明者は、効率よく上り光信号を送ることができると共に、上り光信号の符合誤り率の改善をはかることができる反射型光通信システムを開発した。
【０００４】
ここで本願発明者が最近開発した反射型光通信システムについて説明する。
【０００５】
［第１の例］
図６は本願発明者が最近開発した反射型光通信システムの第１の例を示す。同図に示すように、局Ｋとユーザ端末Ｕとは１本の光ファイバ１０４により接続されている。局Ｋには、連続光源１０１と下り光信号送信器１０２と光カプラ１０３と上り光信号受信器１０８が備えられている。ユーザ端末Ｕには、光カプラ１０５と反射型光変調器１０６と下り光信号受信器１０７と光リミッタアンプ１１４が備えられている。なお、反射型光変調器１０６は、例えば反射型光増幅器を用いて構成されており、「上り光信号送信器」として機能するものである。
【０００６】
光リミッタアンプ１１４は、光カプラ１０５と反射型光変調器１０６との間に接続されている。この光リミッタアンプ１１４は、通過する光の入力光強度が弱いときには利得が大きくなり、通過する光の入力光強度が強いときには利得が小さくなる半導体光増幅器で構成している。このような半導体光増幅器としては、非特許文献１等に記載されている半導体光増幅器がある。
【０００７】
このようなリミッタ特性（増幅特性）を有する光リミッタアンプ１１４を用いることによって、光リミッタアンプ１１４を通過する光信号は、光強度の弱い「０」の部分の利得が大きく、「１」の部分の利得が小さくなる。このため、光リミッタアンプ１１４を通過した光信号は、「１」部分と「０」部分とのレベル差が小さくなって平坦になってくる。このような光リミッタアンプ１１４を用いることが本システムのポイントの１つとなっている。
【０００８】
局Ｋ側では、連続光源１０１で発生した連続光Ｐｃと、下り光信号送信器１０２で発生した下り光信号Ｐｄとを、時分割方式で送出している。しかも、下り光信号Ｐｄの消光比を３〜５ｄＢと、あえて悪い値に設定している。このように、下り光信号Ｐｄの消光比を悪い値に設定していることが、本システムのポイントの１つとなっている。
【０００９】
ユーザ端末Ｕ側の反射型光変調器１０６では、連続光Ｐｃを受光すると、この連続光Ｐｃを第１の電気信号で変調して正規上り光信号Ｐｕ１を生成し、この正規上り光信号Ｐｕ１を送り返す。また反射型光変調器１０６は、光リミッタアンプ１１４を通過して消光比が１〜３ｄＢと小さくなっている下り光信号Ｐｄを受光すると、この下り光信号Ｐｄを第２の電気信号で変調して予備上り光信号Ｐｕ２を生成し、この予備上り光信号Ｐｕ２を送り返す。
【００１０】
この反射型光通信システムでは、局Ｋ側におかれた連続光源１０１から連続光Ｐｃを送り、ユーザ端末Ｕはこの連続光Ｐｃを変調のうえで正規上り光信号Ｐｕ１として送り返す構成になっている。このため連続光Ｐｃは連続光源１０１→光カプラ１０３→光ファイバ１０４→光カプラ１０５→光リミッタアンプ１１４→反射型光変調器１０６と進んだところで反射型光変調器１０６によって第１の電気信号により変調されて正規上り光信号Ｐｕ１となり、反射型光変調器１０６の端面で反射される。連続光Ｐｃを変調してなる正規上り光信号Ｐｕ１は、光リミッタアンプ１１４→光カプラ１０５→光ファイバ１０４→光カプラ１０３→上り光信号受信器１０８と戻ってくる。
【００１１】
また、下り光信号Ｐｄは、下り光信号送信器１０２→光カプラ１０３→光ファイバ１０４→光カプラ１０５→下り光信号受信器１０７と進み、ユーザ端末Ｕの下り光信号受信器１０７によって受信される。ビットレートは上り光信号Ｐｕ，下り光信号Ｐｄとも１００Ｍｂｉｔ／ｓ〜１Ｇｂｉｔ／ｓ程度である。
【００１２】
ここで大事なのは、前述したように、下り光信号送信器１０２から送出した下り光信号Ｐｄの消光比を、３〜５ｄＢ程度と悪い値に設定していることである。但し、下り光信号Ｐｄは伝送距離が短いため伝搬損失の影響が小さく、下り光信号受信器１０７にて受信した下り光信号Ｐｄの消光比が悪くても、下り光信号Ｐｄの信号状態判定をする際に問題が生じることはない。
【００１３】
また下り光信号Ｐｄは下り光信号受信器１０７で受信される他、光カプラ１０５にて分岐され、光リミッタアンプ１１４を通して反射型光変調器１０６に送られる。送られてきた下り光信号Ｐｄは、消光比が３〜５ｄＢと悪くなっているため、光リミッタアンプ１１４を通過した後の下り光信号Ｐｄは、光強度の弱い「０」の部分の利得が大きくなるとともに、「１」の部分の利得が小さくなり、その消光比は１〜２ｄＢ程度と更に小さくなる。このように消光比が極めて小さくなった下り光信号Ｐｄは、反射型光変調器１０６において、第２の電気信号で変調され、予備上り光信号Ｐｕ２となる。この予備上り光信号Ｐｕ２は、光リミッタアンプ１１４→光カプラ１０５→光ファイバ１０４→光カプラ１０３→上り光信号受信器１０８と戻ってくる。
【００１４】
このように、連続光Ｐｃを変調した正規上り光信号Ｐｕ１のみならず、消光比を小さくした下り光信号Ｐｄを変調した予備上り光信号Ｐｕ２をも、上り光信号として送り返すことができる。つまり、従来では下り光信号Ｐｄを送り返してはいたが、上り光信号として送り返すことはしていなかったが、本システムでは、この下り光信号Ｐｄをも上り光信号として利用することができるようになったため、効率よく信号（上り光信号）を送ることができるようになった。
【００１５】
この反射型光通信システムの波形を図７に示す。
図７（ａ）は下り（局→ユーザ端末）の波形であり、下り光信号Ｐｄと連続光Ｐｃが時分割で送信されている。ここで大事なのは下り光信号Ｐｄの消光比が３〜５ｄＢ程度と悪い値に設定していることである。下り光信号Ｐｄは伝送距離が短いために伝搬損失の影響が小さく、消光比が悪くとも問題は生じない。
【００１６】
図７（ｂ）は光リミッタアンプ１１４を通過して反射型光変調器１０６に向かう連続光Ｐｃ及び下り光信号Ｐｄの波形である。前述したように、光リミッタアンプ１１４は入力光強度が弱いときには利得が大きく、入力光強度が強いときには利得の小さな半導体増幅器であるため、光強度の弱い「０」の部分の利得が大きく、「１」の部分の利得が小さくなる。この結果、光リミットアンプ１１４を通過した後の下り光信号Ｐｄの消光比は、１〜２ｄＢ程度と小さくなる。
【００１７】
図７（ｃ）は、上り光信号の波形である。ここで重要なことは連続光部分を変調してなる正規上り光信号Ｐｕ１だけでなく、下り光信号部分を変調してなる予備上り光信号Ｐｕ２をも、上り光信号とすることができることである。つまり、下り光信号部分も新たに変調が可能な点である。これは、従来では使用していなかった部分（下り光信号部分）も、上り光信号として使用することになるため、効率よく上り光信号を送ることができることを意味する。
【００１８】
［第２の例］
次に本願発明者が最近開発した第２の例を説明する。第２の例では、図６のシステム構成を用いるが、ユーザ端末Ｕ側において、連続光部分を変調した正規上り光信号Ｐｕ１と、下り光信号部分を変調した予備上り光信号Ｐｕ２に同一の信号を振り付ける。つまり正規上り光信号Ｐｕ１を生成するために連続光Ｐｃを変調する第１の電気信号の信号内容（信号情報）と、予備上り光信号Ｐｕ２を生成するために下り光信号Ｐｄ（消光比が小さくなっている下り光信号Ｐｄ）を変調する第２の電気信号の信号内容（信号情報）を等しくしている。これにより、反射型光変調器１０６から送出される正規上り光信号Ｐｕ１と予備上り光信号Ｐｕ２との信号内容が等しくなる。
【００１９】
局Ｋ側では、この２つの信号（正規上り光信号Ｐｕ１と予備上り光信号Ｐｕ２）を受信し、両者を比較する。ここで予備上り光信号Ｐｕ２と正規上り光信号Ｐｕ１が一致する場合には、信号は正しいと判定することができる。両者が一致しない場合には誤り訂正を試みるか、ユーザ端末Ｕ側に再送を要求する。
この方式により、上り信号の符号誤り率を改善することができる。
【００２０】
［第３の例］
次に本願発明者が最近開発した第３の例を、図８を参照しつつ説明する。図８において、１０９は下り光信号送信器兼連続光源、１１０は光カプラ、１１１は光ファイバ、１１２は下り光信号受信器兼反射型光変調器、１１３は上り光信号受信器である。
【００２１】
図８において、局Ｋ側の下り光信号送信器兼連続光源１０９は、連続光Ｐｃと、消光比を３〜５ｄＢ程度に下げた下り光信号Ｐｄとを時分割で送信可能である。ユーザ端末Ｕ側の下り光信号受信器兼反射型光変調器１１２は、下り光信号Ｐｄの受信と、連続光Ｐｃの変調と下り光信号Ｐｄの変調を時分割で行うことができ、変調して生成した正規上り光信号Ｐｕ１と予備上り光信号Ｐｕ２を時分割して送出することができる。
【００２２】
下り光信号送信器兼連続光源１０９は、例えば直接変調型のＤＦＢレーザであり、連続光Ｐｃを送信するときにはＤＣ電流を、下り信号を送信するときには変調電流を注入する。
【００２３】
また下り光信号受信器兼反射型光変調１１２は、例えば非特許文献２に示す反射型の半導体増幅器を用い、受信時には逆バイアスを印加して受光電流をモニタし、送信時には正バイアスの変調電流を注入する。
【００２４】
さらには下り光信号受信器兼反射型光変調器１１２にかける正バイアスの変調電流を最適に設計することで、非特許文献３に示すように、下り光信号受信器兼反射型光変調器１１２に、光リミッタアンプとしての機能も持たせることが可能である。つまり、下り光信号受信器兼反射型光変調器１１２を、下り光信号受信器兼反射型光変調器兼光リミッタアンプとして機能させることができる。
【００２５】
図８の構成となっている反射型光通信システムにおいても、図７に示すように、連続光Ｐｃを第１の電気信号で変調して正規上り光信号Ｐｕ１を生成し、この正規上り光信号Ｐｕ１を送り返し、また消光比を小さくした下り光信号Ｐｄを第２の電気信号で変調して予備上り光信号Ｐｕ２を生成し、この予備上り光信号Ｐｕ２を送り返すことで、上り光信号の符号誤り率の改善をはかることができる。
【００２６】
【非特許文献１】
Ｙ．Ｓｈｉｂａｔａ，  Ｙ．Ｙａｍａｄａ，  Ｋ．Ｈａｂａｒａ，  ａｎｄ  Ｎ．Ｙｏｓｈｉｍｏｔｏ，  ”Ｓｅｍｉｃｏｎｄｕｃｔｏｒ  ｌａｓｅｒ  ｄｉｏｄｅ  ｏｐｔｉｃａｌ  ａｍｐｌｉｆｉｅｒｓ／ｇａｔｅｓ  ｉｎ  ｐｈｏｔｏｎｉｃ  ｐａｃｋｅｔ  ｓｗｉｔｃｈｉｎｇ”，  Ｊｏｕｒｎａｌ  ｏｆ  Ｌｉｇｈｔｗａｖｅ  Ｔｅｃｈｎｏｌｏｇｙ，  ｖｏｌ．１６，  ｎｏ．１２，  ｐｐ．２２２８−２２３５，１９９８
【非特許文献２】
Ｍ．Ｏｋａｙａｓｕ，  Ｙ．Ｓｕｚｕｋｉ，  Ｎ．Ｙｏｓｈｉｍｏｔｏ，  Ｒ．Ｉｇａ，  Ｈ．Ｓｕｇｉｕｒａ，  ａｎｄ  Ｊ．Ｙｏｓｈｉｄａ，  ”Ｂｉ−ｄｉｒｅｃｔｉｏｎａｌ  ｔｒａｎｓｍｉｓｓｉｏｎ  ｅｘｐｅｒｉｍｅｎｔ  ｕｓｉｎｇ  ａ  ｓｅｍｉｃｏｎｄｕｃｔｏｒ  ｏｐｔｉｃａｌ  ａｍｐｌｉｆｉｅｒ  ｔｒａｎｓｃｅｉｖｅｒ  ｍｕｄｕｌｅ  ｆｏｒ  ＷＤＭ−ＰＯＮ  ａｎｄ  ＷＤＭ−ＬＡＮ  ａｐｐｌｉｃａｔｉｏｎｓ”，  Ｂｒｏａｄｂａｎｄ  Ａｃｃｅｓｓ  ａｎｄ  Ｔｅｃｈｎｏｌｏｇｙ，  Ｄ．Ｗ．Ｆａｕｌｋｅｒ  ａｎｄ  Ａ．Ｌ．Ｈａｒｍｅｒ（Ｅｄｓ．），ＩＯＳ  Ｐｒｅｓｓ，  １９９９，  ｐｐ．２７８−２８３，  ＩＯＳ  Ｐｒｅｓｓ，  ＩＳＢＮ  ４  ２７４  ９０２９６  Ｘ  Ｃ３０５５  、オーム社
【非特許文献３】
Ｈ．Ｔａｋｅｓｕｅ  ａｎｄ  Ｔ．Ｓｕｇｉｅ，  ”Ｄａｔａ  ｒｅｗｒｉｔｅ  ｏｆ  ｗａｖｅｌｅｎｇｔｈ  ｃｈａｎｎｅｌ  ｕｓｉｎｇ  ｓａｔｕｒａｔｅｄ  ＳＯＡ  ｍｏｄｕｌａｔｏｒ  ｆｏｒ  ＷＤＭ  ｍｅｔｒｏ／ａｃｃｅｓｓ  ｎｅｔｗｏｒｋｓ  ｗｉｔｈ  ｃｅｎｔｒａｌｉｚｅｄ  ｌｉｇｈｔ  ｓｏｕｒｃｅｓ”，  ２８ｔｈ  Ｅｕｒｏｐｅａｎ  Ｃｏｎｆｅｒｅｎｃｅ  ｏｎ  Ｏｐｔｉｃａｌ，  ＥＣＯＣ２００２，  Ｓｅｐｔｅｍｂｅｒ  ８−１２，  ２００２，  Ｃｏｐｅｎｈａｇｅｎ，  Ｄｅｎｍａｒｋ
【００２７】
【発明が解決しようとする課題】
しかしながら、図６〜図８を基に説明した、本願発明者が最近開発した反射型光通信システムには、さらに改良すべき点があった。
【００２８】
すなわち、両方向を伝送する光信号が光ファイバ１０４，１１１で引き起こす干渉である。一般に双方（上りと下り）の光信号の偏光方向が異なる場合には、図９に示すように、きれいな、すなわち光信号の０レベル，１レベルともに変動しないような波形を受信することができる。通常、受信をするためには０レベルと１レベルのほぼ中間点に閾値３０１を設け、閾値３０１を超えれば１、閾値３０１を下回っていれば０と判定する。
【００２９】
しかしながら双方（上りと下り）の光信号の偏光方向が一致した場合には、いずれか一方の光信号の一部が光ファイバのレイリー散乱によって反射され、その反射光と他方の光信号が干渉することで受信波形が乱れるようになる。この干渉の影響は特に１レベルに顕著で、図１０に示すように、１レベルが太くなるように見える。その結果、閾値４０１によりレベル検出を行う際に、１レベルが０と判定されやすくなる問題があった。
【００３０】
したがって先に説明した、図６，図８に示す反射型光通信のシステムでは局Ｋからユーザ端末Ｕに向かう下り光信号Ｐｄ、連続光Ｐｃの偏光方向が同一で、かつ、ユーザ端末Ｕから局Ｋに向かう予備上り光信号Ｐｕ２、正規上り光信号Ｐｕ１の偏光方向が同一であるので、上り光信号のどちらか一方が干渉により乱れてしまうと、他方も乱れてしまう欠点があった。
【００３１】
このように、反射型光通信システムにおいては、光ファイバを伝搬する上りと下りの光信号の偏光状態が一致したときに干渉が起こり、受信波形が劣化する問題があった。
【００３２】
本発明は、上記従来技術に鑑み、受信波形の劣化を防止して良質な光信号の送受信が可能な反射型偏波利用光通信システムならびにこれに用いる局及びユーザ端末を提供することを目的とする。
【００３３】
【課題を解決するための手段】
上記課題を解決する本発明の反射型偏波利用光通信システムの構成は、局とユーザ端末とが光ファイバで接続され、
前記局は、連続光と下り光信号を時分割方式で前記ユーザ端末に送出すると共に、前記ユーザ端末から送出された上り光信号を受信し、
前記ユーザ端末は、前記局から送出された下り光信号を受信すると共に、受信した連続光を変調して生成してなる上り光信号を前記局に送り返す反射型光通信システムにおいて、
前記局では、偏光方向を異ならせて前記連続光と前記下り光信号を前記ユーザ端末に送出し、
前記ユーザ端末では、受信した連続光を第１の電気信号により変調して生成してなる正規上り光信号を前記局に送り返すのみならず、受信した下り光信号の消光比を減少させ消光比が減少した下り光信号を第２の電気信号により変調して生成してなる予備上り光信号を前記局に送り返すことを特徴とする。
このとき、前記ユーザ端末で用いる第１の電気信号と第２の電気信号の信号内容が同一であり、
前記局は、受信した正規上り光信号と予備上り光信号の信号内容が一致した時に信号内容が正しいと判定したり、
前記局は、消光比が３〜５ｄＢとなっている下り光信号を送出することを特徴とする。
【００３４】
また本発明の反射型偏波利用光通信システムに用いる局は、連続光を送出する連続光源と、下り光信号を送出する下り光信号送信器と、上り光信号である正規上り光信号と予備上り光信号を受信する上り光信号受信器とを有しており、
しかも前記連続光源から送出する連続光と前記下り光信号送信器から送出する下り光信号の偏光方向を異ならせていることを特徴とする。
このとき、この局は、連続光を送出する連続光源と、下り光信号を送出する下り光信号送信器と、上り光信号である正規上り光信号と予備上り光信号を受信する上り光信号受信器と、偏波コントローラとを有しており、
しかも前記連続光源から送出する連続光と前記下り光信号送信器から送出する下り光信号の偏光方向を異ならせており、
更に、前記偏波コントローラは、前記連続光源から送出された連続光と前記下り光信号送信器から送出された下り光信号との偏光方向を制御してから局外に送出したり、
または、上り光信号受信器で受信した正規上り光信号と予備上り光信号の信号内容が一致するまで、前記偏波コントローラにより連続光と下り光信号との偏光方向を制御することを特徴とする。
【００３５】
また本発明の反射型偏波利用光通信システムに用いる局は、下り光信号と連続光を時分割方式で送出する下り光信号送信器兼連続光源と、上り光信号である正規上り光信号と予備上り光信号を受信する上り光信号受信器と、偏波光スイッチとを有しており、
前記偏波光スイッチは、下り光信号送信器兼連続光源から送出された下り光信号と連続光の偏光方向を異ならせるように偏光方向を切り換えることを特徴とする。
このとき、この局は、下り光信号と連続光を時分割方式で送出する下り光信号送信器兼連続光源と、上り光信号である正規上り光信号と予備上り光信号を受信する上り光信号受信器と、偏波光スイッチと、偏波コントローラとを有しており、
前記偏波光スイッチは、下り光信号送信器兼連続光源から送出された下り光信号と連続光の偏光方向を異ならせるように偏光方向を切り換え、
更に、前記偏波コントローラは、前記偏波光スイッチから送出された連続光と下り光信号との偏光方向を制御してから局外に送出したり、
また上り光信号受信器で受信した正規上り光信号と予備上り光信号の信号内容が一致するまで、前記偏波コントローラにより連続光と下り光信号との偏光方向を制御することを特徴とする。
【００３６】
また本発明の反射型偏波利用光通信システムに用いるユーザ端末は、下り光信号を受信する下り光信号受信器と、受信した下り光信号の消光比を減少させる光リミッタアンプと、受信した連続光を第１の電気信号により変調して正規上り光信号を生成して前記局に送り返すと共に前記光リミッタアンプを通過したことにより消光比が減少した下り光信号を第２の電気信号により変調して予備上り光信号を生成して前記局に送り返す反射型光変調器とを有することを特徴とする。
このとき、このユーザ端末は、下り光信号を受信すると共に、受信した連続光を第１の電気信号により変調して正規上り光信号を生成して前記局に送り返すと共に受信した下り光信号を第２の電気信号により変調して予備上り光信号を生成して前記局に送り返す下り光信号受信器兼反射型光変調器を有していたり、
このユーザ端末は、下り光信号を受信すると共に、受信した下り光信号の消光比を減少させ、更に受信した連続光を第１の電気信号により変調して正規上り光信号を生成して前記局に送り返すと共に消光比を減少させた下り光信号を第２の電気信号により変調して予備上り光信号を生成して前記局に送り返す下り光信号受信器兼反射型光変調器兼光リミッタアンプを有することを特徴とする。
【００３７】
【発明の実施の形態】
以下に本発明の実施の形態を図面に基づき詳細に説明する。本実施の形態に係る反射型偏波利用光通信システムは、図６や図８に示した、先に開発した反射型光通信システムを改良したものであるので、先に開発した反射型光通信システムと同一機能を果たす部分には、同一符合を付し、重複する説明は省略する。
【００３８】
［第１の実施の形態］
図１は本発明の第１の実施の形態に係る反射型偏波利用光通信システムを示す。第１の実施の形態は、図６に示す反射型光通信システムを改良したものである。第１の実施の形態では、局Ｋに偏波保持光カプラ１００１を備え、連続光源１０１と偏波保持光カプラ１００１を偏波保持光ファイバＦ１により接続し、下り光信号送信器１０２と偏波保持光カプラ１００１を偏波保持光ファイバＦ２により接続している。連続光源１０１から出力される連続光Ｐｃと、下り光信号送信器１０２から出力される下り光信号Ｐｄは、時分割方式により送出されるようになっており、しかも、本実施の形態では、連続光Ｐｃと下り光信号Ｐｄの偏光方向をずらしている（例えば偏光方向を３０〜４５度ずらしている）。このように、連続光Ｐｃと下り光信号Ｐｄの偏光方向をずらしている（偏光方向を異ならせている）ことが、本システムの最大のポイントになっている。なお、他の部分の構成は図６に示すものと同様になっている。
【００３９】
連続光源１０１から出力された連続光Ｐｃは、消光比が１〜３ｄＢと小さくなっており、この連続光Ｐｃは、偏波保持光ファイバＦ１→偏波保持光カプラ１００１→光カプラ１０３→光ファイバ１０４→光カプラ１０５→光リミッタアンプ１１４→反射型光変調器１０６と進んだところで反射型光変調器１０６によって第１の電気信号により変調されて正規上り光信号Ｐｕ１となり、反射型光変調器１０６の端面で反射される。連続光Ｐｃを変調してなる正規上り光信号Ｐｕ１は、光リミッタアンプ１１４→光カプラ１０５→光ファイバ１０４→光カプラ１０３→上り光信号受信器１０８と戻ってくる。
【００４０】
また、下り光信号Ｐｄは、下り光信号送信器１０２→偏波保持光ファイバＦ２→偏波保持光カプラ１００１→光カプラ１０３→光ファイバ１０４→光カプラ１０５→下り光信号受信器１０７と進み、ユーザ端末Ｕの下り光信号受信器１０７によって受信される。
【００４１】
また下り光信号Ｐｄは下り光信号受信器１０７で受信される他、光カプラ１０５にて分岐され、光リミッタアンプ１１４を通して反射型光変調器１０６に送られる。送られてきた下り光信号Ｐｄは、消光比が３〜５ｄＢと悪くなっているため、光リミッタアンプ１１４を通過した後の下り光信号Ｐｄは、光強度の弱い「０」の部分の利得が大きくなるとともに、「１」の部分の利得が小さくなり、その消光比は１〜２ｄＢ程度と更に小さくなる。このように消光比が極めて小さくなった下り光信号Ｐｄは、反射型光変調器１０６において、第２の電気信号で変調され、予備上り光信号Ｐｕ２となる。この予備上り光信号Ｐｕ２は、光リミッタアンプ１１４→光カプラ１０５→光ファイバ１０４→光カプラ１０３→上り光信号受信器１０８と戻ってくる。
【００４２】
このように、連続光Ｐｃを変調した正規上り光信号Ｐｕ１のみならず、消光比を小さくした下り光信号Ｐｄを変調した予備上り光信号Ｐｕ２をも、上り光信号として送り返すことができる。つまり、本システムでは、この下り光信号Ｐｄをも上り光信号として利用することができるようになったため、効率よく信号（上り光信号）を送ることができるようになった。
【００４３】
この場合、ビットレートは上り光信号Ｐｕ１，Ｐｕ２、下り光信号Ｐｄとも１００Ｍｂｉｔ／ｓ〜１Ｇｂｉｔ／ｓ程度である。
【００４４】
また、ユーザ端末Ｕ側において、連続光部分を変調した正規上り光信号Ｐｕ１と、下り光信号部分を変調した予備上り光信号Ｐｕ２に同一の信号を振り付けるようにしてもよい。つまり正規上り光信号Ｐｕ１を生成するために連続光Ｐｃを変調する第１の電気信号の信号内容（信号情報）と、予備上り光信号Ｐｕ２を生成するために下り光信号Ｐｄ（消光比が小さくなっている下り光信号Ｐｄ）を変調する第２の電気信号の信号内容（信号情報）を等しくしてもよい。このようにすると、反射型光変調器１０６から送出される正規上り光信号Ｐｕ１と予備上り光信号Ｐｕ２との信号内容が等しくなる。
【００４５】
このとき局Ｋ側の上り光信号受信器１０８では、この２つの信号（正規上り光信号Ｐｕ１と予備上り光信号Ｐｕ２）を受信し、両者を比較する。ここで予備上り光信号Ｐｕ２と正規上り光信号Ｐｕ１が一致する場合には、信号は正しいと判定することができる。両者が一致しない場合には誤り訂正を試みるか、ユーザ端末Ｕ側に再送を要求する。
この方式により、上り信号の符号誤り率を改善することができる。
【００４６】
前述したように本実施の形態では、連続光Ｐｃと下り光信号Ｐｄの偏光方向を、例えば３０〜４５度ずらしているため、連続光Ｐｃを変調してなる正規上り光信号Ｐｕ１と、消光比を小さくした下り光信号Ｐｄを変調してなる予備上り光信号Ｐｕ２との偏光方向も、同様にずれることになる。
【００４７】
このようにすることで、上り光信号の一方（例えば予備上り光信号Ｐｕ２）の偏光方向が、下りの連続光Ｐｃまたは下り光信号Ｐｄの偏光方向と完全に一致し、波形が乱れた場合でも、上り光信号の他方（例えば正規上り光信号Ｐｕ１）の偏光方向は、下りの連続光Ｐｃまたは下り光信号Ｐｄの偏光方向からずれることになる。その結果、レイリー散乱による波形の劣化を防ぐことが可能になる。
【００４８】
なお図１に示す反射型光通信システムにおける信号波形は、図７（ａ）（ｂ）（ｃ）に示すものと同じである。
【００４９】
［第２の実施の形態］
図２は本発明の第２の実施の形態に係る反射型偏波利用光通信システムを示す。第２の実施の形態は、図８に示す反射型光通信システムを改良したものである。第２の実施の形態では、局Ｋにおいて、下り光信号送信器兼連続光源１０９と光カプラ１１０との間に偏波光スイッチ１００２を備えている。この偏波光スイッチ１００２としては、参考文献１に示す、偏波光スイッチを用いる。なお、他の部分の構成は図８に示すものと同様になっている。
【００５０】
参考文献１：Ｒ．Ｃ．Ａｌｆｅｒｎｅｓｓ  ａｎｄ  Ｌ．Ｌ．Ｂｕｈｌ，  ”Ｗａｖｅｇｕｉｄｅ  ｅｌｅｃｔｒｏ−ｏｐｔｉｃ  ｐｏｌａｒｉｚａｔｉｏｎ  ｔｒａｓｆｏｒｍｅｒ”，  Ａｐｐｌｉｅｄ  Ｐｈｙｓｉｃ  Ｌｅｔｔｅｒｓ，  ｖｏｌ．３８，  ｐｐ．６６５，１９８１またはＭ．Ａ．Ｓａｎｔｏｒｏ  ａｎｄ  Ｃ．Ｄ．Ｐｏｏｌｅ，  ”Ｐｏｌａｒｉｚａｔｉｏｎ  ｓｃｒａｍｂｌｉｎｇ  ｕｓｉｎｇ  ａ  ｓｈｏｒｔ  ｐｉｅｃｅ  ｏｆ  ｈｉｇｈ−ｂｉｒｅｆｒｉｎｇｅｎｃｅ  ｏｐｔｉｃａｌ  ｆｉｂｅｒ  ａｎｄ  ａ  ｍｕｌｔｉｆｒｅｑｕｅｎｃｙ  ｌａｓｅｒ  ｄｉｏｄｅ”，  Ｊｏｕｒｎａｌ  ｏｆ  ｌｉｇｈｔｗａｖｅ  ｔｅｃｈｎｏｌｏｇｙ，  ｖｏｌ．１２，  ｎｏ．２，  ｐｐ．２８８−２９３，  １９９４
【００５１】
局Ｋ側の下り光信号送信器兼連続光源１０９は、連続光Ｐｃと、消光比を３〜５ｄＢ程度に下げた下り光信号Ｐｄとを時分割で送信可能である。ユーザ端末Ｕ側の下り光信号受信器兼反射型光変調器１１２は、下り光信号Ｐｄの受信と、連続光Ｐｃの変調と下り光信号Ｐｄの変調を時分割で行うことができ、変調して生成した正規上り光信号Ｐｕ１と予備上り光信号Ｐｕ２を時分割して送出することができる。
【００５２】
また下り光信号受信器兼反射型光変調器１１２は、反射型の半導体増幅器を用い、受信時には逆バイアスを印加して受光電流をモニタし、送信時には正バイアスの変調電流を注入する。さらには下り光信号受信器兼反射型光変調器１１２にかける正バイアスの変調電流を最適に設計することで、下り光信号受信器兼反射型光変調器１１２に、光リミッタアンプとしての機能も持たせることが可能である。つまり、下り光信号受信器兼反射型光変調器１１２を、下り光信号受信器兼反射型光変調器兼光リミッタアンプとして機能させることができる。
【００５３】
偏波光スイッチ１００２は、下り光信号送信器兼連続光源１０９から時分割方式で出力される連続光Ｐｃが通過する際の偏光方向と、下り光信号送信器兼連続光源１０９から時分割方式で出力される下り光信号Ｐｄが通過する際の偏光方向を切り換える。このため、偏波光スイッチ１００２を通過してきた、連続光Ｐｃと下り光信号Ｐｄとの偏光方向が３０〜４０度ずれる。
【００５４】
このように局Ｋから送出される連続光Ｐｃと下り光信号Ｐｄとの偏光方向が３０〜４０度ずれているため、図１に示す第１の実施の形態と同様に、上り光信号の一方（例えば予備上り光信号Ｐｕ２）の偏光方向が、下りの連続光Ｐｃまたは下り光信号Ｐｄの偏光方向と完全に一致し、波形が乱れた場合でも、上り光信号の他方（例えば正規上り光信号Ｐｕ１）の偏光方向は、下りの連続光Ｐｃまたは下り光信号Ｐｄの偏光方向からずれることになる。その結果、レイリー散乱による波形の劣化を防ぐことが可能になる。
【００５５】
［第３の実施の形態］
図３は本発明の第３の実施の形態に係る反射型偏波利用光通信システムを示す。第３の実施の形態は、図１に示す第１の実施の形態に、更に偏波コントローラ１００３を備えたものである。偏波コントローラ１００３は、偏波保持光カプラ１００１と光カプラ１０３との間に備えられている。連続光Ｐｃと下り光信号Ｐｄは偏波コントローラ１００３を通過してから局外に向かって送出されるようになっており、しかも、偏波コントローラ１００３は、連続光Ｐｃと下り光信号Ｐｄの偏波状態（偏光方向）を制御することができる。
【００５６】
本実施の形態では、ユーザ端末Ｕ側において、連続光部分を変調した正規上り光信号Ｐｕ１と、下り光信号部分を変調した予備上り光信号Ｐｕ２に同一の信号を振り付けるようにしている。そして、局Ｋ側の上り光信号受信器１０８では、この２つの信号（正規上り光信号Ｐｕ１と予備上り光信号Ｐｕ２）を受信し、両者を比較する。ここで予備上り光信号Ｐｕ２と正規上り光信号Ｐｕ１が一致する場合には、信号は正しいと判定することができる。両者が一致しない場合には、両者の信号状態が一致するまで、偏波コントローラ１００３により、連続光Ｐｃと下り光信号Ｐｄの偏波状態（偏光方向）を制御していく。このようにすることにより、誤りのない良質な光信号の送受信が可能になる。
【００５７】
［第４の実施の形態］
図４は本発明の第４の実施の形態に係る反射型偏波利用光通信システムを示す。第４の実施の形態は、図２に示す第２の実施の形態に、更に偏波コントローラ１００４を備えたものである。偏波コントローラ１００４は、偏波光スイッチ１００２と光カプラ１１０との間に備えられている。連続光Ｐｃと下り光信号Ｐｄは偏波コントローラ１００４を通過してから局外に向かって送出されるようになっており、しかも、偏波コントローラ１００４は、連続光Ｐｃと下り光信号Ｐｄの偏波状態（偏光方向）を制御することができる。
【００５８】
本実施の形態では、ユーザ端末Ｕ側において、連続光部分を変調した正規上り光信号Ｐｕ１と、下り光信号部分を変調した予備上り光信号Ｐｕ２に同一の信号を振り付けるようにしている。そして、局Ｋ側の上り光信号受信器１０８では、この２つの信号（正規上り光信号Ｐｕ１と予備上り光信号Ｐｕ２）を受信し、両者を比較する。ここで予備上り光信号Ｐｕ２と正規上り光信号Ｐｕ１が一致する場合には、信号は正しいと判定することができる。両者が一致しない場合には、両者の信号状態が一致するまで、偏波コントローラ１００４により、連続光Ｐｃと下り光信号Ｐｄの偏波状態（偏光方向）を制御していく。このようにすることにより、誤りのない良質な光信号の送受信が可能になる。
【００５９】
［変形例］
なお、図３及び図４に示す実施の形態では、偏波コントローラ１００３，１００４を設けたが、偏波コントローラ１００３，１００４の代わりに、光遅延線を設け、正規上り光信号Ｐｕ１と予備上り光信号Ｐｕ２の受信結果が一致するまで、光遅延線により下り光信号の位相制御をして、連続光Ｐｃと下り光信号Ｐｄの偏波状態（偏光方向）を制御していくようにしてもよい。
【００６０】
また、偏波コントローラ１００３，１００４を設ける代わりに、図３における下り光信号送信器１０２や、図４における下り光信号送信器兼連続光源１０９の電気信号入力部分に電気遅延回路を設け、その遅延量を制御することでも同様な効果を得ることができる。
【００６１】
ここで参考のために、偏波コントローラ１００３または偏波コントローラ１００４を制御する制御回路について、図５を基に説明する。この制御回路を使用するときには、正規上り光信号Ｐｕ１と予備上り光信号Ｐｕ２の前に、それぞれプリアンブルパターン信号（１０〜１６ビットの固定パターン信号）を付与しておく。なお、正規上り光信号Ｐｕ１に付与するプリアンブルパターン信号と、予備上り光信号Ｐｕ２に付与するプリアンブルパターン信号は、同じパターン信号である。また、この例では、正規上り光信号Ｐｕ１と予備上り光信号Ｐｕ２に同一の信号を振り付けているものとする。
【００６２】
図５に示すように、光カプラ１０３（または１１０）にて分岐した正規上り光信号Ｐｕ１と予備上り光信号Ｐｕ２は光ファイバ５０１により伝送され、上り光信号受信器１０８（または１１３）内に備えられた受光器５０２にて受光される。
受光器５０２は、正規上り光信号Ｐｕ１を電気信号に変換した正規上り信号Ｅｕ１（プリアンブルパターン信号に相当する電気信号も含む）を出力すると共に、予備上り光信号Ｐｕ２を電気信号に変換した予備上り信号Ｅｕ２（プリアンブルパターン信号に相当する電気信号も含む）を出力する。
【００６３】
プリアンブル検出回路５０３は、電気信号となっているプリアンブルパターン信号を検出する。高速スイッチ５０４は、プリアンブル検出回路５０３がプリアンブルパターン信号を検出する毎にスイッチングを行う。このため、正規上り信号Ｅｕ１と予備上り信号Ｅｕ２のうちの一方の信号がラインＬ１に出力され、他方の信号がラインＬ２に出力される。
【００６４】
プリアンブル検出回路５０５では、ラインＬ１を通る上り信号に付与されているプリアンブルパターン信号を検出し、プリアンブル検出回路５０６ではラインＬ２を通る上り信号に付与されているプリアンブルパターンを検出する。一致比較回路５０７は、プリアンブル検出回路５０５，５０６の検出結果をＡＮＤ演算し、パワーモニタ５０８はＡＮＤ演算結果の平均出力パワーを検出する。位相回路調節回路５０９は、平均出力パワーが最大となるように、ラインＬ１に介装された位相回路５１０の位相状態を調整する。このような位相調整をすることにより、一致比較回路５１１には、位相状態が一致した正規上り信号Ｅｕ１と予備上り信号Ｅｕ２が入力される。
【００６５】
一致比較回路５１１では、位相状態が一致した正規上り信号Ｅｕ１と予備上り信号Ｅｕ２をＡＮＤ演算し、パワーモニタ５１２では、このＡＮＤ演算結果の平均出力パワーを検出する。偏波コントローラ調節回路５１３は、この平均出力パワーが最大となるように、偏波コントローラ１００３（または１００４）の偏波状態（偏光方向）を調節する。
【００６６】
かくして、偏波コントローラ１００３（１００４）による、連続光Ｐｃと下り光信号Ｐｄに対する偏光方向の制御を調整することにより、誤りのない良好な光信号の送受信が可能になる。
【００６７】
また、ラインＬ１側から受信結果（位相状態及び信号情報が一致している正規上り信号Ｅｕ１と予備上り信号Ｅｕ２のうちの一方の信号）を出力する。
【００６８】
【発明の効果】
以上説明したように、本発明の反射型偏波利用光通信システムならびにこれに用いる局及びユーザ端末では、下り光信号の消光比を減少させ消光比が減少した下り光信号を第２の電気信号で変調して予備上り光信号を生成し、この予備上り光信号を、ユーザ端末から局に送り返すようにした。このため、連続光を第１の電気信号で変調してなる正規上り光信号と、消光比が減少した下り光信号を第２の電気信号で変調してなる予備上り光信号を、上り光信号として使用することができるので、効率よく上り光信号を送ることができる。
しかも、連続光と下り光信号の偏光方向を異ならせているため、上りと下りの光信号の干渉であるレイリー散乱により、上り光信号（正規上り光信号と予備上り光信号）の一方の波形が劣化しても、他方の上り光信号の波形劣化を防ぐことができるため、良質な光信号の送受信が可能となった。
【００６９】
更に、第１の電気信号と第２の電気信号の信号状態を同じにし、ユーザ端末において、正規上り光信号と予備上り光信号とを比較することにより、上り光信号の符号誤り率の改善をはかることができる。
また、正規上り光信号と予備上り光信号の信号内容が一致するまで、連続光と下り光信号の偏光方向の制御をすることにより、更に良質な光信号の送受信が可能となった。
【図面の簡単な説明】
【図１】本発明の第１の実施の形態に係る反射型偏波利用光通信システムを示す構成図。
【図２】本発明の第２の実施の形態に係る反射型偏波利用光通信システムを示す構成図。
【図３】本発明の第３の実施の形態に係る反射型偏波利用光通信システムを示す構成図。
【図４】本発明の第４の実施の形態に係る反射型偏波利用光通信システムを示す構成図。
【図５】偏波コントローラを制御する制御回路の一例を示す回路図。
【図６】本願発明者が最近開発した反射型光通信システムを示す構成図。
【図７】反射型光通信システムにおける光信号の信号波形を示す特性図。
【図８】本願発明者が最近開発した反射型光通信システムの他の例を示す構成図。
【図９】反射型光通信システムにおいて、レイリー散乱による波形劣化がない場合の信号波形図。
【図１０】反射型光通信システムにおいて、レイリー散乱による波形劣化が生じた場合の信号波形図。
【符合の説明】
１０１  連続光源
１０２  下り光信号送信器
１０３  光カプラ
１０４  光ファイバ
１０５  光カプラ
１０６  反射型光変調器
１０７  下り光信号受信器
１０８  上り光信号受信器
１０９  下り光信号送信器兼連続光源
１１０  光カプラ
１１１  光ファイバ
１１２  下り光信号受信器兼反射型光変調器
１１３  上り光信号受信器
１００１  偏波保持光カプラ
１００２  偏波光スイッチ
１００３，１００４  偏波コントローラ
Ｋ  局
Ｕ  ユーザ端末
Ｐｃ  連続光
Ｐｄ  下り光信号
Ｐｕ  上り光信号
Ｐｕ１  正規上り光信号
Ｐｕ２  予備上り光信号
Ｅｕ１  正規の上り信号
Ｅｕ２  予備上り信号
【図１】
2005006138.tif 000003
【図２】
2005006138.tif 000004
【図３】
2005006138.tif 000005
【図４】
2005006138.tif 000006
【図５】
2005006138.tif 000007
【図６】
2005006138.tif 000008
【図７】
2005006138.tif 000009
【図８】
2005006138.tif 000010
【図９】
2005006138.tif 000011
【図１０】
2005006138.tif 000012